(57)【特許請求の範囲】
【請求項１】
一端に円周方向に沿って配された、異形フランジ部を含む複数のフランジ部を備えるとともに、該フランジ部近傍の外周面に雄ねじが形成された被取付部材と、
前記被取付部材の他端側から該被取付部材の外周面側に挿通され、前記雄ねじに螺合される締付ナットと、
取付対象の裏面に固着される取付プレートであって、前記取付対象の裏面に向かって前記フランジ部を通すためのフランジ通し孔を有する取付プレートと、
前記取付対象の裏面と前記取付プレートの取付対象側の面との間に形成される空間であって、前記フランジ通し孔を通ったフランジ部を収容する空間と、
前記空間に収容されたフランジ部の回動範囲を規制するストッパー部と
を備え、
前記締付ナットを締付方向へ回動操作すると、前記異形フランジ部が前記ストッパー部と当接した状態で、前記締付ナットと前記フランジ部との間で前記取付プレートが締め付けられ、前記取付対象に前記被取付部材が固着される
ことを特徴とする家具の連結構造。
【請求項２】
請求項１において、前記締付ナットは、前記取付プレートに近い部位が大径で、かつ、前記取付プレートから遠い部位が小径であることを特徴とする家具の連結構造。
【発明の詳細な説明】
【０００１】
【発明の属する技術分野】
本発明は、家具の連結構造、詳しくは、テーブルの天板、椅子の座部など取付対象と脚など被取付部材との連結構造に関する。
【０００２】
【従来の技術】
従来、テーブルの天板と脚との連結構造には種々のタイプがあるが、その一つのタイプとして、脚の上端部に取付金属プレートを一体に形成しまたは別体の取付金属プレートを脚に一体化して固着し、この金属プレートの孔にねじを挿通し天板の裏面に埋設されたナットにねじ込むことで天板と脚とを連結させる連結構造がよく知られている。
【０００３】
【発明が解決しようとする課題】
しかしながら、上記のような従来の連結構造によると、現場でテーブルを組み立てる際に、ドライバなどの工具を用いた作業が必要となり、この作業が煩雑であるとともに、作業時間が長くかかるという問題があった。
【０００４】
本発明は、テーブルの天板と脚との連結構造のみに限定されるものではなく、他に、椅子の座部と脚との連結構造など広く家具全般にわたって適用可能であるが、上記のような従来の問題点を解決することを主な目的とし、現場での組立作業の容易化、作業時間の短縮を図ることができる家具の連結構造を提供することを目的とする。
【０００５】
【課題を解決するための手段】
本発明による家具の連結構造は、一端に円周方向に沿って配された、異形フランジ部を含む複数のフランジ部を備えるとともに、該フランジ部近傍の外周面に雄ねじが形成された被取付部材と、前記被取付部材の他端側から該被取付部材の外周面側に挿通され、前記雄ねじに螺合される締付ナットと、取付対象の裏面に固着される取付プレートであって、前記取付対象の裏面に向かって前記フランジ部を通すためのフランジ通し孔を有する取付プレートと、前記取付対象の裏面と前記取付プレートの取付対象側の面との間に形成される空間であって、前記フランジ通し孔を通ったフランジ部を収容する空間と、前記空間に収容されたフランジ部の回動範囲を規制するストッパー部とを備え、前記締付ナットを締付方向へ回動操作すると、前記異形フランジ部が前記ストッパー部と当接した状態で、前記締付ナットと前記フランジ部との間で前記取付プレートが締め付けられ、前記取付対象に前記被取付部材が固着されることを特徴とする。
【０００６】
ここで、取付対象とは、テーブルの天板や椅子の座部等をいい、また、被取付部材とは、天板や座部に取り付けられる脚等をいう。
【０００７】
本発明による家具の取付構造において、取付プレートは予め家具製造工場などにおいて取付対象に固着しておくことができる。したがって、現場において取付対象に被取付部材を取り付ける際には、取付プレートのフランジ通し孔に被取付部材のフランジ部を通し締付ナットを締付方向へ回動操作すると、フランジ部がストッパー部に当接した状態で締付ナットとフランジ部との間で取付プレートが締め付けられるようになり、取付対象に被取付部材が固着される。このように、本発明によると、取付対象に被取付部材を連結する作業がきわめて簡単になるとともに作業時間の短縮を図ることができる。
【０００８】
また、前記取付プレートを前記取付対象の裏面と面一にすることが、意匠面などから望ましい。
【０００９】
【発明の実施の形態】
本発明による家具の連結構造の一実施形態に係るテーブルの脚取付構造を図１〜図８に示す。
【００１０】
テーブル（家具）１は、図１に示すように、天板（取付対象）２の裏面２ａの四隅に各々脚（被取付部材）３の上端部３ａを取り付けて組み立てられ、天板２と取付プレート４と脚３とを主要な構成要素としている。
【００１１】
(1) 天板２及び取付プレート４
天板２の裏面２ａの各隅には、図２に示すような凹部５が形成されており、この凹部５に、図３に示す取付プレート４が収容、固着される。
【００１２】
凹部５は、図２に示すように、環状のプレート収容凹部６と略円環状のフランジ収容凹部７とにより構成される。プレート収容凹部６は、取付プレート４の外周形状に略一致する外周形状を有しかつ取付プレート４の厚さに略一致する深さを有する。フランジ収容凹部７は、プレート収容凹部６の内側に隣接して位置しプレート収容凹部６よりも大きな深さを有する。このフランジ収容凹部７の内側には、取付プレート４の位置決め用の島部８が形成されている。なお、島部８は設けなくてもよく、プレート収容凹部６の内側を全てフランジ収容凹部７が占める構成であってもよい。
【００１３】
プレート収容凹部６の四隅には、それぞれ取付プレート固定用のナット９が埋設されている。
【００１４】
フランジ収容凹部７の一部は、半径外方向に突出した異形フランジ収容凹部７ａを構成している。
【００１５】
取付プレート４は、図３に示すように、プレート収容凹部６の外周形状に対応する平板四角形状をしており、四隅に各々取付ねじ１０が通るねじ通し孔４ａを有している。また、取付プレート４は、後述するフランジ部２８ａ、２８ｂ、２８ｃ、２８ｄ（符号２８で代表させる場合もある。）をフランジ収容凹部７に通すためのフランジ通し孔１１を有している。
【００１６】
フランジ通し孔１１は、半径の小さな内孔部１２と、この内孔部１２から半径外方向に突出した複数（本実施形態では４つ）の外孔部１３ａ、１３ｂ、１３ｃ、１３ｄとから構成される。４つの外孔部１３ａ、１３ｂ、１３ｃ、１３ｄのうち、隣り合う２つの外孔部１３ａ、１３ｂは、半径が段階的に異なる異形孔で構成され、２つの異形孔１３ａ、１３ｂの形状は互いに線対称の関係にあり、図３において左側に位置する異形孔１３ａに、後述する異形フランジ部２８ａが通される。なお、このように２つの異形孔１３ａ、１３ｂを線対称の関係となるよう設けた理由は、図３に示した取付プレート４を上下、左右逆向きにしたり、裏返しにしたりして、他の三隅（図３の取付プレート４は、天板２の裏面２ａにおける左下隅に取り付けられた取付プレートであり、他の三隅は、天板２の裏面２ａの左上隅、右上隅、右下隅となる。）にも同一形状の取付プレートを用いることができるようにするためである。
【００１７】
天板２の裏面２ａに取付プレート４を取り付ける作業は、まず、取付プレート４をプレート収容凹部６に嵌め、フランジ通し孔１１がフランジ収容凹部７と重なりかつ２つの異形孔１３ａ、１３ｂのいずれか一方の異形孔が異形フランジ収容凹部７ａと重なるよう、プレート収容凹部６に対し取付プレート４を位置合わせする。そして、各ねじ通し孔４ａに取付ねじ１０を通しナット９にねじ込む。この作業によって、取付プレート４は天板２の裏面２ａに固着される。ここで、取付プレート４の下面４ｂは天板２の裏面２ａと面一となっている。
【００１８】
(2) 脚３
脚３は、図４（Ａ）、（Ｂ）に示すように、脚本体１４と固定パーツ１５と脚締付ナット１６とから構成される。
【００１９】
脚本体１４は、少なくとも上端部に中空開口部１７（図５）が形成された断面円形、楕円形、三角または四角形等の支柱部材１８と、この支柱部材１８の下端部に配設された高さ位置調整用の公知のアジャスター１９とを備える。上端の中空開口部１７の内周面には、図５に示すように、ナット２０が溶接されたナットプレート２１が溶接されている。
【００２０】
固定パーツ１５は、例えばアルミダイキャスト等の成形品からなる。固定パーツ１５は、図５に示すように、支柱部材１８の中空開口部１７に上方から圧入される圧入部２２を備える。圧入部２２の上端には、雄ねじ部２３が延設されている。雄ねじ部２３の外周面には雄ねじ２４が形成され、また、雄ねじ部２３には上方に開口する凹部２５が形成されている。この凹部２５の下面には、ボルト２６の軸部２６ａをナットプレート２１に案内するためのボルト通し孔２７が形成されている。雄ねじ部２３の上端には、図６に示すように、半径外方向に突出した４つのフランジ部２８ａ、２８ｂ、２８ｃ、２８ｄが円周方向に沿って形成されている。４つのフランジ部２８ａ、２８ｂ、２８ｃ、２８ｄのうち１つのフランジ部２８ａは、半径が段階的に異なる異形フランジ部によって構成されている。４つのフランジ部２８ａ、２８ｂ、２８ｃ、２８ｄは、図７に示すように、それぞれ、取付プレート４の対応する外孔部１３ａ、１３ｂ、１３ｃ、１３ｄを通り天板２のフランジ収容凹部７に収容され得るような形状及び大きさに形成されている。
【００２１】
固定パーツ１５は、支柱部材１８の中空開口部１７に圧入部２２を圧入し、ボルト通し孔２７にボルト２６の軸部２６ａを通し軸部２６ａの先端部をナット２０にねじ込むことによって支柱部材１８に一体化されている。
【００２２】
脚締付ナット１６は、下部に、支柱部材１８が通過可能な支柱通し孔２９を有し、上部に、この支柱通し孔２９の上端から延在し固定パーツ１５の雄ねじ２４が螺合する雌ねじ３０を有する。下部の外周面には、脚締付ナット１６を手動で回動操作する際に滑り止め作用を発揮する複数の突条部３１が形成されている。
【００２３】
次に、裏面２ａに取付プレート４が固着された天板２に対して脚３を取り付ける作業方法の一例について説明する。
【００２４】
まず、固定パーツ１５の雄ねじ２４に脚締付ナット１６の雌ねじ３０を部分的に螺合させた状態で、図７に実線で示すように取付プレート４のフランジ通し孔１１にフランジ部２８を通し、フランジ部２８をフランジ収容凹部７に収容させる。次に、脚締付ナット１６を手動で締付方向に回動操作する。すると、フランジ部２８は図７に二点鎖線で示す状態まで回動し、異形フランジ部２８ａが異形フランジ収容凹部７ａの端面７ｂと当接することによってフランジ部２８の回動が停止する。その後も脚締付ナット１６の締付方向への回動操作を続行すると、脚締付ナット１６が固定パーツ１５にねじ込まれてゆき、フランジ部２８と脚締付ナット１６とで取付プレート４の当接片１３ｅ、１３ｆ、１３ｇ、１３ｈ（隣り合った外孔部１３ａ、１３ｂ、１３ｃ、１３ｄの間に形成され、符号１３’で代表させる場合もある。）を挟持するようになり、図８に示すように脚３が天板２に固着される。
【００２５】
このように、天板２に脚３を取り付ける作業は、工具を用いないできわめて簡単に行うことができ作業時間も短くて済む。また、脚取付後の天板２に対する脚本体１４の回動方向における位置が、異形フランジ部２８ａが異形フランジ収容凹部７ａの端面７ｂと当接する位置によって一義的に決められるため、断面が円形以外の異形の断面形状を有する支柱部材１８の方向を各脚３毎に決め、脚全体を統一のある方向に揃えることができる。ここで、異形フランジ収容凹部７ａの端面７ｂは、フランジ部２８の回動範囲を規制するストッパー部を構成している。
【００２６】
また、脚締付ナット１６の上部は大径で太く、下部は小径で細くなっている。このため、太い上部により、脚締付ナット１６が挟持する取付プレート４との当接面が広くなり脚３を安定して取り付けることができ、また、細い下部により、この下部を握っての手動操作がやり易くなる。
【００２７】
他の実施形態を図９に示す。この実施形態は、テーブル１の天板２に他の天板５０を連結したものであり、天板２に脚３を取り付けると同時に他の天板５０を天板２に連結するようにしたものである。すなわち、他の天板２に取付金具５１によって連結された連結プレート５２の雄ねじ通し孔５３に上方から脚本体１４、固定パーツ１５の雄ねじ部２３を順に通し、固定パーツ１５の雄ねじ２４に脚締付ナット１６の雌ねじ３０を螺合させた後、上述した作業内容と同様な内容の作業を行うことにより、フランジ部２８と脚締付ナット１６とで取付プレート４及び連結プレート５２が挟持され、脚３が天板２に固着されると同時に他の天板５０が天板２に連結される。
【００２８】
脚締付ナット１６の他の実施形態を図１０（Ａ）、（Ｂ）に示す。この脚締付ナット１６は、手動で回動操作する代わりにドライバ等の簡単な工具の先端部を工具差込み孔６０に差込んで回動させることができるようにしたものである。その他の構成は、図５等に示した脚締付ナット１６と略同様であり、内周面に雌ねじ３０が形成されている。
【００２９】
なお、上述した実施形態では、脚本体１４と固定パーツ１５を別体のものとしたが、一体のものとしてもよい。また、上述した実施形態では、ストッパー部を天板２の異形フランジ収容凹部７ａの端面７ｂによって構成したが、図１１に示すように、取付プレート４側にストッパー部７０を設けるようにしてもよい。さらに、上述した実施形態では、天板２の裏面２ａに凹部５を形成したが、図１１及び図１２に示すように、取付プレート４に上記凹部５と同様な作用を発揮できる空間を形成するようにしてもよい。
【００３０】
【発明の効果】
本発明によると、取付対象に被取付部材を連結する作業がきわめて簡単になるとともに作業時間の短縮を図ることができる。
【００３１】
また、取付プレートを取付対象の裏面と面一にすることにより、意匠面などに優れたものとなる。
【図面の簡単な説明】
【図１】本発明の一実施形態に係るテーブルの連結構造が組み込まれたテーブルの概略分解斜視図である。
【図２】テーブルの天板の四隅の一角の裏面図である。
【図３】裏面に取付プレートが固着された天板の四隅の一角の裏面図である。
【図４】（Ａ）は脚の平面図、（Ｂ）は同脚の側面図である。
【図５】脚の要部を分解した部分断面図である。
【図６】固定パーツの平面図である。
【図７】取付プレートのフランジ通し孔とフランジ部との位置関係を説明するための天板の四隅の一角の裏面図である。
【図８】天板に脚を取り付けた状態の断面図である。
【図９】他の実施形態の断面図である。
【図１０】（Ａ）は他の実施形態に係る脚締付ナットの平面図、（Ｂ）は同脚締付ナットの側面図である。
【図１１】他の実施形態に係るテーブルの連結構造の要部の平面図である。
【図１２】同連結構造の断面図である。
【符号の説明】
１    テーブル（家具）
２    天板（取付対象）
２ａ    裏面
３    脚（被取付部材）
４    取付プレート
２８、、２８ａ、２８ｂ、２８ｃ、２８ｄ    フランジ部
１１    フランジ通し孔
１６    脚締付ナット（締付ナット）
２４    雄ねじ
７ｂ    異形フランジ収容凹部７ａの端面（ストッパー部）
７０    ストッパー部
【図１】
0004326640.tif 000002
【図２】
0004326640.tif 000003
【図３】
0004326640.tif 000004
【図４】
0004326640.tif 000005
【図５】
0004326640.tif 000006
【図６】
0004326640.tif 000007
【図７】
0004326640.tif 000008
【図８】
0004326640.tif 000009
【図９】
0004326640.tif 000010
【図１０】
0004326640.tif 000011
【図１１】
0004326640.tif 000012
【図１２】
0004326640.tif 000013